(57)【要約】【課題】新たなガス器具の使用あるいは停止を検知し、ガス器具の使用実体を反映して流量テーブルに順次登録し、ガス器具の使用実体と計測結果との間に誤差のないガスメータを提供すること。【解決手段】ガス全体流量が２０００（Ｌ／ｈ）から１９９０（Ｌ／ｈ）に変化した場合、流量テーブル５１に登録されている各使用流量の合計値（矢印Ｘ１の１９００（Ｌ／ｈ）＋１００（Ｌ／ｈ））と計測された全体流量（矢印Ｙ１：１９９０（Ｌ／ｈ））との差（１０（Ｌ／ｈ））は、所定割合Ｐ未満なので、ガスメータは、計測された全体流量１９９０（Ｌ／ｈ）と、流量テーブル５１に登録されている各使用流量の合計値２０００（Ｌ／ｈ）との差（−１０）を算出する。そして、流量テーブル５１に最後に登録されたガス器具の使用流量（１００（Ｌ／ｈ））に、前記差（−１０）を加算する（矢印Ｘ２：１００（Ｌ／ｈ））。【選択図】図１
2010008200.tif 000002
【特許請求の範囲】
【請求項１】
所定時間間隔ごとに供給ガスの全体流量を計測する流量計測手段と、
ガス器具が使用される毎に当該ガス器具の使用流量が順次登録される流量テーブルとを備え、
前記流量テーブルに登録されているガス器具毎の使用流量の合計値と、前記流量計測手段によって計測された全体流量との差を算出し、算出値が前記合計値に対して所定割合以上の場合に、前記算出値を、使用状態が変化したガス器具の使用流量として、当該ガス器具と対応させて前記流量テーブルに順次登録又は前記流量テーブルから削除し、
前記算出値が、前記合計値に対して前記所定割合未満の場合に、前記流量テーブルに登録されている登録直後のガス器具の使用流量に前記算出値を加算し、前記流量テーブルの使用流量の登録を補正することを特徴とするガスメータ。
【請求項２】
前記算出値が前記合計値に対して前記所定割合未満で、当該算出値が前記合計値に対して前記所定割合よりも小さい所定割合以上の場合に、前記算出値を加算することを特徴とする請求項１に記載のガスメータ。
【発明の詳細な説明】
【技術分野】
【０００１】
本発明は、流量計測手段により所定時間間隔ごとに供給ガスの全体流量を計測し、ガス器具が使用される毎にガス器具の使用流量を登録するガスメータに関する。
【背景技術】
【０００２】
様々な機能を備えたガスメータが開発されている。前記ガスメータの一例として、ガス器具の消し忘れによる火災事故、中毒事故を防ぐためのガス遮断機能を備えたガスメータが提案されている（特許文献１参照）。このようなガスメータは、ガスの流量を常時監視し、ガスの流量が一定値のまま長時間経過した場合には、ガス遮断弁を駆動してガス流路を遮断する。
【０００３】
一般に、ガスメータは、流量計測手段により所定時間間隔ごとに供給ガスの全体流量を計測し、ガス器具が使用される毎にガス器具の使用流量を登録する。
登録されている全体流量に対し所定値（３％）以上の増加が認められると、当該増加分に相当する一台のガス器具がその使用を開始したものと判断して、当該増加分を当該ガス器具の使用流量として流量テーブルに順次登録する。
【０００４】
また、計測した全体流量に所定値以上の減少が認められた場合には、当該減少分に相当する使用流量のガス器具の使用が停止されたものとして、当該減少分に相当する使用流量を当該流量テーブルから削除する。
【０００５】
そして、例えば、最大ガス流量値に対応して、ガス遮断時間をタイマに設定し、設定されたガス遮断時間が経過すると、ガス流路を遮断する。
【０００６】
図６は、従来のガスメータの動作例を説明するための図で、需要家において、ガスメータを介して２つのガス器具（Ｘ、Ｙ）にガスが供給されている状態を示している。
ガス器具Ｘが使用される前は、ガス全体流量は０（Ｌ／ｈ）で、ガスメータの流量テーブル１５１には０（Ｌ／ｈ）が登録されている。
【０００７】
ここで、ユーザが、ガス使用量１９００（Ｌ／ｈ）のガス器具Ｘをオンにすると（符号Ａ参照）、ガスメータの流量計測手段によって、ガス全体流量１９００（Ｌ／ｈ）が計測され、計測されたガス流量が流量テーブル１５１に登録される（符号Ｂ参照）。そして、ガス使用量１９００（Ｌ／ｈ）に対応したガス遮断時間をタイマに設定する。
【０００８】
その後、ユーザが、ガス使用量１００（Ｌ／ｈ）のガス器具Ｙをオンにすると（符号Ｃ参照）、ガスメータの流量計測手段によって、ガス全体流量２０００（Ｌ／ｈ）が計測される。ここでは、流量テーブル１５１に登録されたガス流量１９００（Ｌ／ｈ）に対して、１００（Ｌ／ｈ）＝２０００（Ｌ／ｈ）−１９００（Ｌ／ｈ）増加しており（３％以上の増加）、前記増加分のガス流量１００（Ｌ／ｈ）を新たに使用されたガス器具Ｙの使用流量として流量テーブル１５１に登録する（符号Ｄ参照）。なお、前記増加分のガス流量（１００（Ｌ／ｈ））は、流量テーブル１５１に登録されているガス流量（１９００（Ｌ／ｈ））よりも小さいので、前記タイマの設定は、実行されない。
【特許文献１】特公平０６−０１３９２５号
【発明の開示】
【発明が解決しようとする課題】
【０００９】
ところで、現在では、ガス器具の多様化によりガス流量をなだらかに変化させるガス器具が発売されている。
【００１０】
図７は、図６の状態において、ガス器具Ｙをオンにした直後、例えばガス器具Ｙの火力微調整のため、ガス全体流量が、流量テーブル１５１に登録されているガス器具毎の使用流量の合計値２０００（Ｌ／ｈ）（＝１９００（Ｌ／ｈ）＋１００（Ｌ／ｈ））に対して３％未満変化した場合を示している。
【００１１】
例えば、ガス全体流量が２０００（Ｌ／ｈ）から１９５０（Ｌ／ｈ）になだからに減少し（符号Ｅ参照）、その後、ユーザが、ガス使用量１００（Ｌ／ｈ）のガス器具Ｚをオンにすると（符号Ｆ参照）、ガス全体流量が２０５０（Ｌ／ｈ）に増加する。
【００１２】
しかし、この場合、前記ガス全体流量２０５０（Ｌ／ｈ）は、流量テーブル１５１に登録されている使用流量の合計値２０００（Ｌ／ｈ）に対して３％以上増加していないため、前記ガス全体流量と前記合計値とが合致せず、前記増加分のガス流量１００（Ｌ／ｈ）を新たに使用されたガス器具Ｚの使用流量として流量テーブル１５１に登録することができず、ガス器具の使用実体を流量テーブル１５１に反映することができないという問題があった。
【００１３】
本発明は、かかる実情に鑑みてなされたものであり、新たなガス器具の使用あるいは停止を検知し、ガス器具の使用実体を反映して流量テーブルに順次登録し、ガス器具の使用実体と計測結果との間に誤差のないガスメータを提供することを目的とする。
【課題を解決するための手段】
【００１４】
請求項１の発明は、所定時間間隔ごとに供給ガスの全体流量を計測する流量計測手段と、ガス器具が使用される毎に当該ガス器具の使用流量が順次登録される流量テーブルとを備え、前記流量テーブルに登録されているガス器具毎の使用流量の合計値と、前記流量計測手段によって計測された全体流量との差を算出し、算出値が前記合計値に対して所定割合以上の場合に、前記算出値を、使用状態が変化したガス器具の使用流量として、当該ガス器具と対応させて前記流量テーブルに順次登録又は前記流量テーブルから削除し、前記算出値が、前記合計値に対して前記所定割合未満の場合に、前記流量テーブルに登録されている登録直後のガス器具の使用流量に前記算出値を加算し、前記流量テーブルの使用流量の登録を補正することを特徴とするガスメータである。
【００１５】
請求項２の発明は、請求項１の発明において、前記算出値が前記合計値に対して前記所定割合未満で、当該算出値が前記合計値に対して前記所定割合よりも小さい所定割合以上の場合に、前記算出値を加算することを特徴とするものである。
【発明の効果】
【００１６】
本発明により、登録されているガスの使用流量が変動する場合であっても、新たなガス器具の使用あるいは停止を検知し、ガス器具の使用実体を反映して流量テーブルに順次登録し、ガス器具の使用実体と計測結果との間に誤差のないガスメータを提供することができる。
【発明を実施するための最良の形態】
【００１７】
（実施例１）
図１は、本発明の概要を説明するための図である。
ガス器具が使用される前には、現在のガス全体流量は０（Ｌ／ｈ）で、本発明に係わるガスメータの流量テーブル５１に登録されている。
ここで、ガス使用量１００（Ｌ／ｈ）のガス器具Ｙがオンされ、流量テーブル５１に使用流量が登録されるまでは、図７で説明した処理と同様なので、説明を省略する。
【００１８】
ガス使用量１００（Ｌ／ｈ）を流量テーブル５１に登録した後、前述のように、ガス全体流量が２０００（Ｌ／ｈ）から１９５０（Ｌ／ｈ）になだからに減少すると（符号Ｅ参照）、ガスメータは、流量テーブル５１に登録されているガス器具毎の使用流量の合計値と計測された全体流量との差を算出し、算出値が、流量テーブル５１に登録されたガス器具毎の使用流量の合計値に対して所定割合Ｐ（例えば３％）以上か否かを判定する。
【００１９】
例えば、ガス全体流量が２０００（Ｌ／ｈ）から１９９０（Ｌ／ｈ）に変化した場合、流量テーブル５１に登録されているガス器具毎の使用流量の合計値（矢印Ｘ１の１９００（Ｌ／ｈ）＋１００（Ｌ／ｈ））と計測された全体流量（矢印Ｙ１：１９９０（Ｌ／ｈ））との差（１０（Ｌ／ｈ））は、所定割合Ｐ未満なので、ガスメータは、計測された全体流量１９９０（Ｌ／ｈ）と、流量テーブル５１に登録されているガス器具毎の使用流量の合計値２０００（Ｌ／ｈ）との差（−１０）を算出する。
そして、流量テーブル５１に登録されている登録直後のガス器具の使用流量、つまり、流量テーブル５１に最後に登録された流量（１００（Ｌ／ｈ））に、前記差（−１０）を加算する（矢印Ｘ２：１００（Ｌ／ｈ））。また、登録流量の補正（加算）処理は、流量テーブル５１へガス器具の使用流量を新規登録した時より開始し、全体流量のなだらかな変化が観測されなくなった時、終了する。
以後、上記のような流量変化が起こる度に、前記算出処理及び加算処理を実行する。
【００２０】
なだからなガス全体流量の変化が続く間、前記加算処理を実行した後、ユーザが、ガス使用量１００（Ｌ／ｈ）のガス器具Ｚをオンにすると（符号Ｆ参照）、ガスメータの流量計測手段によって、ガス全体流量２０５０（Ｌ／ｈ）が計測される。ここでは、流量テーブル５１に登録されたガス器具毎の使用流量の合計値１９５０（Ｌ／ｈ）（矢印Ｘ３）に対して、１００（Ｌ／ｈ）＝２０５０（Ｌ／ｈ）−１９５０（Ｌ／ｈ）増加しており（３％以上の増加）、前記増加分のガス流量１００（Ｌ／ｈ）を新たに使用されたガス器具Ｚの使用流量として流量テーブル５１に登録する（符号Ｇ参照）。
【００２１】
このように、流量テーブル５１に最後に登録されている使用流量値を補正するのは、ガス器具の使用流量が緩やかに変化している場合、流量テーブル５１に登録された複数のガス器具の中の、どのガス器具の使用流量が変化しているのかを判別することは困難であるが、流量テーブル５１に最後に登録されたガス器具は、火力微調整のためガス使用量が継続している可能性が高いと見なせるからである。
このようにすることで、新たなガス器具の使用あるいは停止を検知し、ガス器具の使用実体を反映して流量テーブルに順次登録し、ガス器具の使用実体と計測結果との間に誤差がなくなる。
【００２２】
図２は、前記補正処理を可能にする、実施例１に係わるガスメータ１の機能ブロック図である。ここでは、ガス遮断機能を備えているガスメータについて説明する。
１１は、流量計測手段で、一定の時間間隔ごとに供給ガスの全体流量を計測する。
【００２３】
１２は、流量変化検出手段で、流量計測手段１１によって計測された全体流量と、流量テーブル５１に登録されたガス器具毎の使用流量の合計値との差（増減値）を算出し、算出値が、流量テーブル５１に登録されたガス器具毎の使用流量の合計値に対して所定割合Ｐ（例えば３％）以上か否かを判定する。
【００２４】
１３は、流量変化回数記憶手段で、流量変化検出手段１２によって流量変化が判定された回数を記憶する。
１４は、複数器具流量値記憶手段で、前述した流量テーブル５１を備え、管理する。また、複数器具流量値記憶手段１４は、流量変化回数記憶手段１３に記憶されている流量変化の判定回数が所定回数（例えば２回）か否かを監視し、所定回数以上の場合には、流量テーブル５１に登録されているガス器具毎の使用流量の合計値と計測された全体流量との差、及び、当該差に相当するガス消費量のガス器具の使用開始又は停止を流量テーブル５１に登録する。
つまり、前記差を、使用状態が変化したガス器具の使用流量として、当該ガス器具と対応させて流量テーブル５１に順次登録又は流量テーブル５１から削除する。
【００２５】
１５は、最終登録流量値補正手段で、流量変化検出手段１２が算出した、流量計測手段１１によって計測された全体流量と、流量テーブル５１に登録されているガス器具毎の使用流量の合計値との差（算出値）が、流量テーブル５１に登録されたガス器具毎の使用流量の合計値に対して所定割合Ｐ（例えば３％）未満の場合には、当該差（算出値）を、流量テーブル５１に最後に登録されたガス器具の使用流量に加算し、登録されている流量を補正する。
【００２６】
１６は、タイマ設定手段で、既に流量テーブル５１に登録されているガス器具の最大使用流量に対応した遮断時間をタイマ（図示しない）に設定する。
１７は、遮断時間判定手段で、タイマに設定された遮断時間に到達したと判定した場合には、ガス遮断弁から構成される遮断手段１８を駆動して、ガス流路を遮断する。
【００２７】
次に、上記の補正処理を図３のフロー図を用いて説明する。
流量計測手段１１が一定の時間間隔ごとに供給ガスの全体流量を計測すると、流量変化検出手段１２は、流量計測手段１１によって計測された全体流量と、流量テーブル５１に登録されたガス器具毎の使用流量の合計値との差が、流量テーブル５１に登録されたガス器具毎の使用流量の合計値に対して所定割合Ｐ以上か否かを判定する（ステップＳ１）。
【００２８】
所定割合Ｐ以上の場合には（ステップＳ１／ＹＥＳ）、流量変化回数記憶手段１３に記憶されている流量変化が判定された回数に１回を加算する（ステップＳ２）。そして、前記加算後の判定回数が所定回数か否かを判定する（ステップＳ３）。
【００２９】
次に、複数器具流量値記憶手段１４は、ステップＳ３の判定に基づいて、使用ガス器具に変動があったものとし、流量テーブル５１にステップ１で算出した差を登録する（ステップＳ４）。このとき、流量変化回数記憶手段１３に記憶されている判定回数をクリアする。
タイマ設定手段１６は、例えば既に流量テーブル５１に登録されているガス器具の最大使用流量に対応した遮断時間をタイマに再設定する必要があるか否かを判定する（ステップＳ５）。
【００３０】
再設定する必要がある場合には（ステップＳ５／ＹＥＳ）、タイマに前記遮断時間を再設定し、タイマの計数をクリアし、スタートさせる（ステップＳ６）。再設定する必要がない場合には、ステップＳ６の処理は実行しない。
【００３１】
次に、遮断時間判定手段１７は、前記遮断時間に到達したか否かを判定し（ステップＳ７）、前記遮断時間に到達したと判定した場合には（ステップＳ７／ＹＥＳ）、ガス遮断弁から構成される遮断手段１８を駆動して、ガス流路を遮断する（ステップＳ８）。
【００３２】
また、ステップＳ１において、所定割合Ｐ未満の場合には（ステップＳ１／ＮＯ）、最終登録流量値補正手段１５は、流量計測手段１１によって計測された全体流量と、流量テーブル５１に登録されているガス器具毎の使用流量の合計値との差（今回流量−登録流量合計）を流量テーブル５１に登録されている登録直後のガス器具の使用流量（最終登録流量）に加算し、流量テーブル５１の使用流量の登録値を補正する（ステップＳ９）。
【００３３】
このようにすることで、例えば、ガス器具の使用流量に大きな変化があった後に、火力微調整のため当該ガス器具の使用流量がなだらかに変化しても、当該変化を流量テーブルに最後に登録した使用流量に反映することができる。
【００３４】
（実施例２）
実施例１では、最終登録流量値補正手段１５は、常に、流量計測手段１１によって計測された全体流量と、流量テーブル５１に登録されているガス器具毎の使用流量の合計値との差を流量テーブル５１に登録されている使用流量に加算することで、流量を補正しているが（図３のステップＳ８参照）、このような補正処理を頻繁に行うのは、ガスメータ１のマイコンに不要な負荷をかけることになる。
【００３５】
そこで、実施例２では、流量計測手段１１によって現在計測された全体流量と流量テーブル５１に登録されたガス器具毎の使用流量の合計値との差（算出値）が、前記合計値に対して所定割合Ｐ（例えば３％）未満で、かつ、当該差（算出値）が、前記合計値に対して所定割合Ｐよりも小さい所定割合Ｑ（例えば１％）以上の場合には、算出値を流量テーブル５１に登録する補正処理を実行する。
一方、前記算出値が、前記合計値に対して前記所定割合Ｑ未満の場合には、上記の補正処理を実行しない。
【００３６】
図４は、実施例２に係わるガスメータ１’の機能ブロック図である。
なお、図２のブロック図で説明した機能ブロックについては、同一の参照番号を付して、その説明を省略する。
【００３７】
流量変化検出手段１２’は、実施例１で説明した処理の他に、流量計測手段１１によって現在計測された全体流量と流量テーブル５１に登録されたガス器具毎の使用流量の合計値との差が、前記合計値に対して所定割合Ｐよりも小さい所定割合Ｑ（例えば１％）以上か否かを判定する。
【００３８】
ここで、流量変化検出手段１２’によって所定割合Ｑ以上と判定された場合、最終登録流量値補正手段１５は、実施例１と同様に、算出値を流量テーブル５１に登録する。所定割合Ｑ未満と判定された場合、算出値の登録は実行しない。
【００３９】
図５は、実施例２の補正処理を説明するためのフロー図で、流量変化検出手段１２’によって、流量計測手段１１によって現在計測された全体流量と流量テーブル５１に登録されたガス器具毎の使用流量の合計値との差が、前記合計値に対して所定割合Ｐ以上と判定された場合（ステップＳ１１／ＹＥＳ）、ガスメータ１’は、ステップＳ１２以下の処理を実行する。なお、ステップＳ１２〜ステップＳ１８の処理は、図３のステップＳ２〜ステップＳ８の処理と同じなので説明を省略する。
【００４０】
前記差が、前記合計値に対して所定割合Ｐ未満（ステップＳ１１／ＮＯ）の場合には、流量変化検出手段１２’は、当該差が、所定割合Ｑ以上か否かを判定する（ステップＳ１９）。
前記差が、所定割合Ｑ以上の場合には（ステップＳ１９／ＹＥＳ）、最終登録流量値補正手段１５は、算出値を流量テーブル５１に登録する補正処理を実行する（ステップＳ２０）。
前記差が、所定割合Ｑ未満の場合には（ステップＳ１９／ＮＯ）、ステップＳ２０の処理を実行しない。
このようにすることで、使用流量の登録が頻繁に行われることを防止でき、ガスメータ１’のマイコンに不要な負荷をかけることがない。また、ガス器具の使用流量の緩やかな変化を正確に流量テーブルに反映することができる。
【００４１】
なお、実施例１の補正処理／実施例２の補正処理の切換は、任意に実行することができる。
【図面の簡単な説明】
【００４２】
【図１】本発明の概要を説明するための図である。
【図２】実施例１のガスメータの機能ブロック図である。
【図３】実施例１の補正処理を説明するためのフロー図である。
【図４】実施例２のガスメータの機能ブロック図である。
【図５】実施例２の補正処理を説明するためのフロー図である。
【図６】従来のガスメータの動作例を説明するための図である。
【図７】従来のガスメータの動作例を説明するための他の図である。
【符号の説明】
【００４３】
１，１’…ガスメータ、１１…流量計測手段、１２…流量変化検出手段、１３…流量変化回数記憶手段、１４…複数器具流量値記憶手段、１５…最終登録流量値補正手段、１６…タイマ設定手段、１７…遮断時間判定手段、１８…遮断手段、５１，１５１…流量テーブル。
【図１】
2010008200.tif 000003
【図２】
2010008200.tif 000004
【図３】
2010008200.tif 000005
【図４】
2010008200.tif 000006
【図５】
2010008200.tif 000007
【図６】
2010008200.tif 000008
【図７】
2010008200.tif 000009